(57)【要約】【課題】単体で、または、複数を組み合わせて、建造物の天井と屋根の間の空間へ立体的に植物を配置可能であって、立体寄植用植木鉢のような従来の縦方向に配置されるプランターよりも製造効率が向上したプランター、プランターの製造方法、プランターを用いた植栽方法、プランター装置およびプランター装置を用いた植栽方法を提供する。【解決手段】プランター１は、合成樹脂製の箱体であり、両端部が開口し、一部に切欠が形成された筒状体である胴部１０と、胴部１０の両端の開口部分を閉塞する蓋部材１１ａ，１１ｂと、胴部１０の切欠を一部開口させて閉塞する閉塞板１２を備えている。【選択図】図１
2016096803.tif 000002
【特許請求の範囲】
【請求項１】
両端部が開口した筒状体であり、各端部に亘る長さであると共に、植栽する植物の地上部分を外部へ露出可能な細長い幅の窓部が周壁に形成された胴部と、
該胴部の両端の開口部分を閉塞すると共に、液体が流通可能な液体出入口を有する蓋部材とを備える
プランター。
【請求項２】
前記窓部の長さ方向と略同じ長さであると共に、同窓部よりも幅が狭く、同窓部の一部を閉塞可能な部材である閉塞要素を備える
請求項１記載のプランター。
【請求項３】
前記閉塞要素は、棒状または板状であり、その両端が前記蓋部材によって固定される
請求項２記載のプランター。
【請求項４】
前記胴部内の空間に収まり、かつ、同胴部の内面と当接する大きさの外周を有する内部フレーム部と、該内部フレーム部と繋がっており、前記窓部近傍の同胴部外面に係止され、かつ、同窓部の長さ方向と交差する方向に延びた押さえ片部と有する変形防止部材を備える
請求項１、請求項２または請求項３記載のプランター。
【請求項５】
前記胴部内の空間に収まり、かつ、同胴部の内面と当接する大きさの外周を有する内部フレーム部と、該内部フレーム部と繋がっており、前記窓部近傍の同胴部外面に係止され、かつ、同窓部の長さ方向と交差する方向に延びた押さえ片部と、前記閉塞要素を通して保持する保持要素とを有する変形防止部材を備える
請求項２または請求項３記載のプランター。
【請求項６】
前記蓋部材は、前記胴部の両端の開口部分と相対する面に、開口縁に外嵌めされるフランジ部を有する構造である
請求項１、請求項２、請求項３、請求項４または請求項５記載のプランター。
【請求項７】
前記液体出入口は、前記蓋部材から突出した筒体である
請求項１、請求項２、請求項３、請求項４、請求項５または請求項６記載のプランター。
【請求項８】
前記胴部または前記蓋部材のいずれかの箇所に、装飾場所または装飾物へ取り付けるための取付手段を備える
請求項１、請求項２、請求項３、請求項４、請求項５、請求項６または請求項７記載のプランター。
【請求項９】
熱可塑性合成樹脂を用いた押出成形によって、両端部が開口した筒状であり、かつ、一方の端部の開口部分から他方の端部の開口部分にかけて植栽する植物の地上部分を外部へ露出可能な幅の窓部が形成された胴部を成形する工程と、
前記胴部の両端の開口部分を閉塞可能な大きさである共に、液体が流通可能な液体出入口を有する一対の蓋部材を成形する工程と、
前記胴部の両端の開口部分の各々に閉塞部材を取り付ける工程とを備える
プランターの製造方法。
【請求項１０】
プランターの周壁に形成された細長い窓部から植栽する植物の地上部分を外部へ露出させ、同プランターに設けられた液体出入口を通じて、同プランター内に収納された培地へ給水し、同プランター内の水を排水する
プランターを用いた植栽方法。
【請求項１１】
両端部が開口した筒状体であり、各端部に亘る長さであると共に、植栽する植物の地上部分を外部へ露出可能な幅である細長い窓部が周壁に形成された胴部と、同胴部の両端の開口部分を閉塞すると共に、液体が流通可能な液体出入口が複数設けられた蓋部材とを有するプランターと、
該プランターが取り付けられる取付フレームと、
前記液体出入口に接続される給水経路と、給水する水を貯め置く給水タンクとを有し、前記プランターに給水可能な給水手段と、
前記液体出入口に接続される排水経路と、排水を貯め置く排水タンクとを有し、前記プランターからの排水を貯留可能な排水手段とを備える
プランター装置。
【請求項１２】
前記プランターが複数であり、各プランターが給水経路と排水経路で通水可能に接続されている
請求項１１記載のプランター装置。
【請求項１３】
内部電源、あるいは外部電源との接続手段と、
前記内部電源あるいは前記外部電源により作動するポンプと、
前記プランターからの排水を濾過する濾過手段とを備えている
請求項１１または請求項１２記載のプランター装置。
【請求項１４】
濾過された排水を、前記給水タンクへ送る送水経路を備える
請求項１３記載のプランター装置。
【請求項１５】
プランターの周壁に形成された細長い窓部から植栽する植物の地上部分を外部へ露出させ、同プランター装置の給水タンクから同プランターに設けられた液体出入口を通じて、同プランター内に収納された培地へ給水し、同プランター装置の排水タンクへ同プランター内の水を排水する
プランター装置を用いた植栽方法。
【発明の詳細な説明】
【技術分野】
【０００１】
本発明は、プランター、プランターの製造方法、プランターを用いた植栽方法、プランター装置、および、プランター装置を用いた植栽方法に関するものである。
更に詳しくは、単体で、または、複数を組み合わせて、建造物の天井と屋根の間の空間へ立体的に植物を配置可能であって、後述する立体寄植用植木鉢のような従来のプランターよりも製造効率が向上したプランター、プランターの製造方法、プランターを用いた植栽方法、プランター装置、および、プランター装置を用いた植栽方法に関する。
【背景技術】
【０００２】
従来、屋内または軒下等の壁面を装飾するための部材として、例えば、下記特許文献１に開示された立体寄植用植木鉢９が提案されている。
立体寄植用植木鉢９は、プラスチック製の壁掛型、懸垂型または載置型であり、植木鉢の側壁９１に複数の植込穴９２を貫設するとともに、植込穴９２を囲むように、かつ側壁の上縁開口部の肉厚部の近傍から植木鉢の底壁の近傍に至る範囲の上下方向もしくは左右方向、または放射状に複数のスリットを設け、このスリットによって植込穴側を自由端とする押え片９３を形成したものである。
【先行技術文献】
【特許文献】
【０００３】
【特許文献１】実開平７−２２６３５号公報
【発明の概要】
【発明が解決しようとする課題】
【０００４】
図１０に示す立体寄植用植木鉢９は、プラスチック製であるが、その形状の複雑さから成形が難しく、また、製造効率の低下を招くものであった。また、立体寄植用植木鉢９は、成形のための金型も高額なものになるため、製造コストが上昇する。
【０００５】
更に、立体寄植用植木鉢９は、単独で使用するか、あるいは、単独のもの並べて配置することを想定した構造であって、立体寄植用植木鉢９を相互に組み合わせて、より広い面積を装飾可能な一体の装置として用い、給排水の効率化を図るといった運用は考慮されていない。
【０００６】
本発明は、以上の点を鑑みて創案されたものであり、単体で、または、複数を組み合わせて、建造物の天井と屋根の間の空間へ立体的に植物を配置可能であって、立体寄植用植木鉢のような従来の縦方向に配置されるプランター（以下「従来のもの」と省略する）よりも製造効率が向上したプランター、プランターの製造方法、プランターを用いた植栽方法、プランター装置、および、プランター装置を用いた植栽方法を提供することを目的とするものである。
【課題を解決するための手段】
【０００７】
上記の目的を達成するために本発明のプランターは、両端部が開口した筒状体であり、各端部に亘る長さであると共に、植栽する植物の地上部分を外部へ露出可能な細長い幅の窓部が周壁に形成された胴部と、該胴部の両端の開口部分を閉塞すると共に、液体が流通可能な液体出入口を有する蓋部材とを備える。
【０００８】
ここで、プランターは、胴部が、両端部が開口した筒状体であり、かつ、窓部となる部分の形状が各端部に亘るものであるため、押出成形による成形が可能となり、従来のものよりも製造効率が向上する。
【０００９】
また、胴部は、その周壁に囲まれた内部空間に植物の培地を内包し、胴部に形成された窓部は、植栽する植物の地上部分を外部へ露出する。加えて、胴部に係る窓部は、細長い幅であることによって、培地の露出と漏れを抑えている。なお、窓部には、スポンジ状あるいはメッシュ状のシート等を配置してもよく、この場合、培地の露出と漏れがより抑えられる。
【００１０】
一般的に、容器のようなものは、内側から外側への圧力が掛かった場合に、開口部等の脆弱部に圧力が集中して破損あるいは変形のおそれがあり、加えて、開口部等が大きいほど周縁が脆弱になるが、前記の通り、本発明に係るプランターは、窓部が細長い幅であることによって、開口した窓部近傍であっても胴部の他の箇所と遜色ない強度が担保される。
【００１１】
なお、本明細書および本特許請求の範囲において、「地上部分」とは、通常、植物を植えた際に地上に現れる部分を意味し、土中の根の部分を除く、枝や茎、葉、花等を含む意味で使用している。
【００１２】
更に、蓋部材は、液体出入口を除き、胴部の両端の開口部分を閉塞する。液体出入口は、プランターに供給される水を導入し、かつ、排出する。
【００１３】
なお、本発明に係るプランターは、複数組み合わせて使用することもでき、この場合、一方のプランターの液体出入口と、他方のプランターの液体出入口を連絡させることにより、１つの給水源で、複数のプランターへの給水がなされる。これにより、プランターを、単体で、または、複数を組み合わせて、建造物の天井と屋根の間の空間へ立体的に配置すると、建造物の天井と屋根の間の空間へ植物が立体的に配置される。
【００１４】
前記窓部の長さ方向と略同じ長さであると共に、同窓部よりも幅が狭く、同窓部の一部を閉塞可能な部材である閉塞要素を備える場合は、閉塞要素によって、窓部の開口領域の大きさが調節され、培地の露出と漏れが抑えられる。なお、窓部の開口領域から、植物の地上部分が外部へ露出する。
【００１５】
前記閉塞要素は、棒状または板状であり、その両端が前記蓋部材によって固定される場合は、棒状または板状の閉塞要素によって、窓部の開口領域の大きさが調節され、培地の露出と漏れが抑えられる。なお、窓部の開口領域から、植物の地上部分が外部へ露出する。また、棒状または板状の閉塞要素は、その両端が蓋部材によって固定されているため、固定部分の強度が確保される。
【００１６】
前記胴部内の空間に収まり、かつ、同胴部の内面と当接する大きさの外周を有する内部フレーム部と、該内部フレーム部と繋がっており、前記窓部近傍の同胴部外面に係止され、かつ、同窓部の長さ方向と交差する方向に延びた押さえ片部と有する変形防止部材を備える場合は、胴部へ外側から力が加わっても、内部フレーム部が、胴部が縮小する方向への変形あるいは撓みを防ぐ。
【００１７】
また、窓部近傍の胴部外面に係止された押さえ片部は、窓部近傍の胴部外面を押さえて、水を含んだ培地等の重量による胴部が膨らむ方向への変形あるいは撓みを防ぐ。つまり、変形防止部材は、胴部を内外側から補強し、胴部の変形あるいは撓みを抑える。
【００１８】
前記胴部内の空間に収まり、かつ、同胴部の内面と当接する大きさの外周を有する内部フレーム部と、該内部フレーム部と繋がっており、前記窓部近傍の同胴部外面に係止され、かつ、同窓部の長さ方向と交差する方向に延びた押さえ片部と、前記閉塞要素を通して保持する保持要素とを有する変形防止部材を備える場合は、胴部へ外側から力が加わっても、内部フレーム部が、胴部が縮小する方向への変形あるいは撓みを防ぐ。
【００１９】
また、窓部近傍の胴部外面に係止された押さえ片部は、窓部近傍の胴部外面を押さえて、水を含んだ培地等の重量による胴部が膨らむ方向への変形あるいは撓みを防ぐ。
【００２０】
加えて、保持要素は、閉塞要素を保持すると共に、閉塞要素を長さ方向の一部で補強する。保持要素と閉塞要素は協働し、窓部を構成する胴部の縁部に培地の重量が作用すると胴部が膨らむ方向へ変形しようとするが、保持要素がその変形あるいは撓みを防止できる。
【００２１】
前記蓋部材は、前記胴部の両端の開口部分と相対する面に、開口縁に外嵌めされるフランジ部を有する構造である場合、水を含んだ培地等の重量による胴部が膨らむ方向へ力が加わったとしても、取り付けた蓋部材のフランジ部が胴部の両端の開口縁の外周面に当接して押さえ、胴部の両端部近傍の変形あるいは撓みを防ぐ。
【００２２】
前記液体出入口は、前記蓋部材から突出した筒体である場合は、その形状により、例えば、合成樹脂のホースのような給水管あるいは排水管と接続しやすくなる。
【００２３】
前記胴部または前記蓋部材のいずれかの箇所に、装飾場所または装飾物へ取り付けるための取付手段を備える場合は、取付手段により装飾場所または装飾物への取り付けを行う。
【００２４】
上記の目的を達成するために本発明のプランターの製造方法は、熱可塑性合成樹脂を用いた押出成形によって、両端部が開口した筒状であり、かつ、一方の端部の開口部分から他方の端部の開口部分にかけて植栽する植物の地上部分を外部へ露出可能な幅の窓部が形成された胴部を成形する工程と、前記胴部の両端の開口部分を閉塞可能な大きさである共に、液体が流通可能な液体出入口を有する一対の蓋部材を成形する工程と、前記胴部の両端の開口部分の各々に閉塞部材を取り付ける工程とを備える。
【００２５】
ここで、本発明のプランターは、胴部が上記形状であるため、熱可塑性合成樹脂を用いた押出成形によって成形することができるので、成形のための金型が比較的簡易な形状で済む。また、上記工程により形成された蓋部材を、前記胴部の両端の開口部分の各々に取り付けることで、本発明のプランターとなる。
【００２６】
上記の目的を達成するために本発明のプランターを用いた植栽方法は、プランターの周壁に形成された細長い窓部から植栽する植物の地上部分を外部へ露出させ、同プランターに設けられた液体出入口を通じて、同プランター内に収納された培地へ給水し、同プランター内の水を排水するものである。
【００２７】
ここで、プランターの窓部から植栽する植物の地上部分を外部へ露出させることによって、プランターに植栽された植物の地上部分が観察される。また、液体出入口からプランター内に収納された培地へ水を給水し、プランター内の水は液体出入口から排水する。
【００２８】
上記の目的を達成するために本発明のプランター装置は、両端部が開口した筒状体であり、各端部に亘る長さであると共に、植栽する植物の地上部分を外部へ露出可能な幅である細長い窓部が周壁に形成された胴部と、同胴部の両端の開口部分を閉塞すると共に、液体が流通可能な液体出入口が複数設けられた蓋部材とを有するプランターと、該プランターが取り付けられる取付フレームと、前記液体出入口に接続される給水経路と、給水する水を貯め置く給水タンクとを有し、前記プランターに給水可能な給水手段と、前記液体出入口に接続される排水経路と、排水を貯め置く排水タンクとを有し、前記プランターからの排水を貯留可能な排水手段とを備える。
【００２９】
ここで、プランターは、胴部が前記形状であることにより、押出成形による成形がなされて、従来のものよりも製造効率が向上する。
また、胴部は、その周壁に囲まれた内部空間に植物の培地を内包し、胴部に形成された開口部は、植栽する植物の地上部分を外部へ露出する。
【００３０】
更に、蓋部材は、液体出入口を除き、胴部の両端の開口部分を閉塞する。液体出入口は、プランターに供給される水を導入し、かつ、排出する。
【００３１】
取付フレームにプランターを取り付けることで、建造物の天井と屋根の間の空間へ立体的に植物を配置する。
【００３２】
プランターへの給水は、給水経路と液体出入口を通じて、給水タンクに貯め置かれた水を供給してなされる。また、プランターからの排水は、液体出入口と排水経路を通じて、排水タンクに排水を貯め置かれる。
【００３３】
前記プランターが複数であり、各プランターが給水経路と排水経路で通水可能に接続されている場合は、プランター装置に給水タンクと排水タンクが少なくとも各々１つずつ備えられていれば、複数のプランターは、給水経路と排水経路を介して順次給水および排水される。また、このような複数のプランターによって、単数の場合よりも広い面積の装飾がなされる。
【００３４】
内部電源、あるいは外部電源との接続手段と、前記内部電源あるいは前記外部電源により作動するポンプと、前記プランターからの排水を濾過する濾過手段とを備えている場合は、内部電源あるいは接続手段により外部電源がポンプを作動させ、このポンプはプランター装置の下方に集まった濾過手段により濾過された排水を揚水し、再び上方のプランターへ供給する。
【００３５】
濾過された排水を、前記給水タンクへ送る送水手段を備える場合は、送水手段によって濾過された排水が給水タンクへ送られる。即ち、本プランター装置では、濾過された排水（浄水）が給水タンクへ循環し、プランターへ給水される水として再利用される。
【００３６】
上記の目的を達成するために本発明のプランター装置を用いた植栽方法は、プランターの周壁に形成された細長い窓部から植栽する植物の地上部分を外部へ露出させ、同プランター装置の給水タンクから同プランターに設けられた液体出入口を通じて、同プランター内に収納された培地へ給水し、同プランター装置の排水タンクへ同プランター内の水を排水するものである。
【００３７】
ここで、プランターの窓部から植栽する植物の地上部分を外部へ露出させることによって、プランターに植栽された植物の地上部分が観察される。また、プランター装置は、給水タンクから液体出入口を通じてプランター内に収納された培地へ水を給水し、プランター内の水は液体出入口からプランター装置の排水タンクに排水する。
【発明の効果】
【００３８】
本発明によるプランターによれば、単体で、または、複数を組み合わせて、建造物の天井と屋根の間の空間へ立体的に植物を配置可能であって、従来のものよりも製造効率が向上したものを提供できる。
本発明によるプランターの製造方法によれば、単体で、または、複数を組み合わせて、建造物の天井と屋根の間の空間へ立体的に植物を配置可能なプランターについて、従来のものよりも製造効率を向上させることができる。
本発明によるプランターを用いた植栽方法によれば、単体または複数のプランターを組み合わせて、建造物の天井と屋根の間の空間へ立体的に植物を配置することが可能となる。
本発明によるプランター装置によれば、単体または複数のプランターを組み合わせて、建造物の天井と屋根の間の空間へ立体的に植物を配置可能であって、従来のものよりも製造効率が向上したものを提供できる。
本発明によるプランター装置を用いた植栽方法によれば、単体または複数のプランターを組み合わせて、建造物の天井と屋根の間の空間へ立体的に植物を配置することが可能となる。
【図面の簡単な説明】
【００３９】
【図１】本発明のプランターの上面側と正面側を表した斜視図である。
【図２】図１に示すプランターの下面側と背面側を表した斜視図である。
【図３】図１に示すプランターの分解斜視説明図である。
【図４】（ａ）は図１に示すプランターを縦置きした使用状態説明図であり、（ｂ）は同プランターを横置きした使用状態説明図である。
【図５】図１に示すプランターを縦方向に連結した状態を表した説明図である。
【図６】図１に示すプランターを横方向に連結した状態を表した説明図である。
【図７】（ａ）と（ｂ）に示すプランターは、本発明のプランターの変形例であり、胴部を想像線で示し、蓋部材と変形防止部材を実線で示した斜視説明図である。
【図８】本発明のプランター装置の要部を拡大した斜視説明図である。
【図９】図８に示すプランター装置の構造を表す一部を省略した側面視説明図である。
【図１０】特許文献１記載の立体寄植用植木鉢の正面図である。
【発明を実施するための形態】
【００４０】
図１ないし図９を参照して、本発明の実施の形態を更に詳細に説明する。なお、各図における符号は、煩雑さを軽減し理解を容易にする範囲内で付している。
【００４１】
なお、本実施の形態において、先に述べた「閉塞要素」は後述する「閉塞板」と、先に述べた「装飾場所または装飾物へ取り付けるための取付手段」は後述する「取付部」と、先に述べた「給水経路」と「排水経路」は後述する「管体」と、先に述べた「保持要素」は後述する「保持部」と、先に述べた「給水手段」は後述する「給水装置」と、先に述べた「排水手段」は後述する「排水装置」と、先に述べた「濾過手段」は後述する「濾過部材」と、先に述べた「送水経路」は後述する「送水パイプ」と、それぞれ対応するものである。
また、後述するプランター装置の「給排水装置」については、先に述べた「給水手段」と「排水手段」を一体化したものである。
【００４２】
〔プランター〕
図１ないし図３を参照する。
プランター１は、合成樹脂製の箱体であり、両端部が開口し、一部に切欠が形成された筒状体である胴部１０と、胴部１０の両端の開口部分を閉塞する蓋部材１１ａ，１１ｂと、胴部１０の切欠を一部開口させて閉塞する閉塞板１２を備えている。
以下、各部について詳述する。
なお、蓋部材１１ｂは、蓋部材１１ａと同じ形状および構造であるため、構造の詳細については蓋部材１１ａについてのみ説明する。
【００４３】
（胴部１０）
胴部１０は、周壁の断面が略扇形状であり（図３参照）、使用時において正面となる部分が円弧状に膨出しており、使用時において背面となる部分が正面となる部分よりも幅狭な平板状であり、使用時において左右の側面となる部分は正面側と背面側の長手方向の縁部を接続している。
【００４４】
閉塞板１２は、胴部１０の長さ方向と略同じ長さであり、かつ、胴部１０に形成された切欠よりも幅が狭い板体である。
【００４５】
胴部１０の正面側の切欠は、窓部１０１を構成する領域であり、同領域の中央に閉塞板１２を配置することで、閉塞板１２の左右に胴部１０の長手方向に亘る窓部１０１が構成される。なお、閉塞板１２を外して、より大きな窓部１０１とすることもできる。
【００４６】
胴部１０の各開口部分（符号省略：図３で上下端部の開口部）近傍には貫通孔である掛止爪嵌入部１０２が、それぞれ３箇所ずつ形成されている。掛止爪嵌入部１０２は、蓋部材１１ａを胴部１０に取り付けた際に後述する掛止爪部１１８が嵌入し、掛止爪嵌入部１０２の口縁に掛止爪部１１８が掛止する部分である。
【００４７】
なお、胴部１０は、押出成形によって成形される。胴部１０は、合成樹脂製であり、かつ、先に述べたように筒型の単純な形状であるため、押出成形によって成形しやすく、また、成形のための金型が比較的簡易な形状で済む。この結果、胴部１０は、金型製造コストを抑えることができ、プランター１全体の製造コスト削減に寄与する。また、胴部１０の製造に、押出成形を採用したため、従来のものよりも製造効率が向上している。
【００４８】
本実施の形態において、胴部１０は、合成樹脂により形成されているが、これに限定するものではなく、例えば、アルミニウムやステンレススチール等の各種金属、セメントやセラミックス等の石質系素材、その他の押出成形を行うことが可能な材料で形成することもできる。
【００４９】
また、本実施の形態において、胴部１０は、押出成形によって成形されるが、これに限定するものではなく、例えば、ステンレススチールの板材を曲げ加工して成形する等の各種方法で加工されたものであってもよい。
【００５０】
（蓋部材１１ａ）
蓋部材１１ａは、胴部１０の開口部分と同じく略扇形状であり、同開口部分よりやや大きい蓋部材基部１１１と、蓋部材基部１１１の外縁から胴部側に立ち上がったフランジ部１１２と、蓋部材基部１１１の左右の縁部近傍に形成された貫通孔１１３と、蓋部材基部１１１の貫通孔１１３と連通し、かつ、フランジ部１１２と反対側の面に固着された筒体である液体出入口１１４と、フランジ部１１２と反対側の面に立設し、略中央に孔（符号省略）の開いた板状の取付部１１９を有している。
【００５１】
また、蓋部材基部１１１とフランジ部１１２に囲まれた領域内には、一対の第１リブ１１５と、閉塞板嵌入部１１６と、一対の第２リブ１１７と、掛止爪部１１８が設けられている（図３参照）。
【００５２】
第１リブ１１５は、フランジ部１１２に隣接し、フランジ部１１２との間に胴部２の開口部側の端縁部が入る隙間（符号省略）を設けて、フランジ部１１２よりも蓋部材基部１１１中央寄りに立設されており、フランジ部１１２の側面側全部とフランジ部１１２の正面側および背面側の一部に亘る長さを有する部材である。第１リブ１１５は、フランジ部１１２の左右両方の側面近傍に線対称に１つずつ設けられている（図３参照）。
【００５３】
第１リブ１１５と、フランジ部１１２の間隔は、上記したように胴部１０の開口端の板厚と略同じに設定されており、第１リブ１１５とフランジ部１１２の間の領域へ胴部１０の開口端を嵌め入れ可能にしてある。また、第１リブ１１５の高さは、フランジ部１１２と略同じである（図３参照）。
【００５４】
閉塞板嵌入部１１６は、フランジ部１１２正面側の内面に形成され、胴部１０の長手方向（図３で上方向）に開口したスリット状の孔であり、閉塞板１２の板幅、板厚と略同じ大きさに形成されている。
【００５５】
第２リブ１１７は、フランジ部１１２に隣接し、フランジ部１１２よりも蓋部材基部１１１中央寄りに立設された部材である。また、第２リブ１１７は、閉塞板嵌入部１１６の左右両側に配置されており、フランジ部１１２との間の隙間部分で窓部１０１の胴部２側の口縁部を挟むようにして固定する。第２リブ１１７は、閉塞板嵌入部１１６を挟んで線対称に１つずつ設けられている（図３参照）。
【００５６】
第２リブ１１７とフランジ部１１２の間に形成される空隙は、胴部１０の開口端の板厚と略同じに設定されており、同空隙へ胴部１０の開口端を嵌め入れ可能にしてある。また、第２リブ１１７の高さは、フランジ部１１２と略同じである（図３参照）。
【００５７】
第１リブ１１５、閉塞板嵌入部１１６および第２リブ１１７は、蓋部材１１ａ，１１ｂを胴部１０に着脱可能に取り付ける部分として機能するほか、胴部１０の上方または下方の端部（両開口部側の端部）を挟み込むようにして補強する部分としても機能する。つまり、蓋部材１１ａ，１１ｂと胴部１０が協働し、水を含んだ培地等の重量による胴部の膨らむ方向への変形あるいは撓みを防ぎ、また、外部からの押圧力による胴部の縮小する方向への変形あるいは撓みを防ぐことができる。
【００５８】
掛止爪部１１８は、フランジ部１１２正面側の内側部分の所要箇所に形成された略直角三角形の部分であって、蓋部材基部１１１側に向かって徐々に突き出しが高くなる形状となっている（図３参照）。つまり、掛止爪部１１８は、蓋部材１１ａと胴部１０を取り付ける際には容易に嵌まり込み、取り外すときは胴部１０を内側に撓ませないと外れにくい構造となっている。
【００５９】
取付部１１９は、蓋部材１１ａの背面側縁部に配置されている（図２参照）。
プランター１は、取付部１１９に形成された孔へネジ、釘、吊り紐等を差し込んで使用することで、所望の装飾場所または装飾物へ取り付けることができ、特に立体的に植物を配置することが可能となる。
【００６０】
なお、本実施の形態においては、第１リブ１１５、閉塞板嵌入部１１６、第２リブ１１７および掛止爪部１１８の形状、配置等は前記の通りであるが、これに限定するものではなく、上記作用効果を奏する範囲内で適宜設定することができる。
【００６１】
（プランター１の使用方法）
図４ないし図６を参照して、プランター１の使用方法を説明する。
図４（ａ）はプランター１を縦置きで使用した態様を示しており、プランター１は、その内部に培地（図示および符号省略）を収納しており、窓部１０１から植栽する植物の地上部分Ｐを外部へ露出させる。
【００６２】
このとき、閉塞要素である閉塞板１２によって、窓部１０１の開口領域の大きさが調節され、培地の露出と漏れが抑えられる。なお、培地は、各種培地をそのまま入れ、シート状のスポンジ、ネット等を窓部内側に押し込むことで、培地の露出と漏れを更に抑えてもよいし、培地と植物を袋状物で包み、植物の地上部分Ｐのみを露出させたものを、プランターに入れ、窓部１０１から植物の地上部分Ｐを露出する態様であってもよい。
【００６３】
また、プランター１に設けられた上部側の液体出入口１１４を通じて、プランター１内に収納された培地へ給水する。培地の保水力を超えた水は、排水として、下部側の液体出入口１１４を通じて排出される。
【００６４】
図４（ｂ）はプランター１を横置きで使用した態様を示しており、同様に、窓部１０１から植栽する植物の地上部分Ｐを外部へ露出させる。
【００６５】
また、横置きの場合、プランター１に設けられた液体出入口１１４のうち、上方に位置するものを通じて、プランター１内に収納された培地へ給水し、排水は下方に位置する液体出入口１１４を通じて排出される。
【００６６】
なお、プランター１は、図５および図６に示すように、他のプランターと接続して使用することもできる。この場合、各プランター１は、液体出入口１１４にホース等の管体１４による給水経路と排水経路で通水可能に接続されている。
【００６７】
図５においては、上方に位置するプランター１に給水された水は、その後、排水として、下方に位置するプランター１へ順次給水される。
【００６８】
図６では、外構であるフェンスＦに、接続された２つのプランター１を設置した態様を示している。このように、プランター１は、壁面のみならず、枠や網状のフェンスにも設置することができる。なお、図６においては、左右いずれかのプランター１に給水された水は、毛細管現象により移動した水によって他方のプランター１へ給水がなされる。また、毛細管現象を促進するために、不織布等で形成した紐を、管体１４を通じて隣接するプランター１へ架け渡す等してもよい。
【００６９】
本実施の形態において、プランターは、横断面が扇形の筒状体であるが、これに限定するものではなく、例えば、円筒形状、楕円形状、各種角筒状、異形筒状等であってもよい。
【００７０】
（プランターの変形例）
図７（ａ）は、プランター１の変形例であるプランター１ａを示している。
【００７１】
なお、プランター１ａは、長尺であることと、胴部１０に変形防止部材１３が取り付けられていることを除き、プランター１と同様の構造であるため、共通部分の説明を省略する。また、共通部分には、プランター１と同じ符号を付している。
【００７２】
変形防止部材１３は、胴部１０の内部形状と略同じ外周である内部フレーム部１３１と、内部フレーム部１３１と接続する押さえ片部１３２と、保持部１３３を有している。
【００７３】
内部フレーム部１３１は、胴部１０内の空間に収まり、かつ、胴部１０の内面と当接する大きさの外周を有する形状に形成されている。また、内部フレーム部１３１の外周部分は、所要幅の帯状に形成されており、胴部１０の内面と当接する面積を確保し、胴部１０が縮小する方向への圧力や胴部１０に加わる捻れ方向への力に対する補強効果を高めている。
【００７４】
内部フレーム部１３１は、その内側に設けられた略十字状の補強部１３４を除き、開口しており、この開口部分を通じて、給水された水が移動する。なお、補強部１３４は内部フレーム部１３１を内側から補強すると共に、補強部１３４を挟んで胴部１０内を複数の空間に区切り、培地の重量に起因する圧力を分散して緩和する。
【００７５】
押さえ片部１３２は、胴部１０の正面と沿う形状の板材である本体（符号省略）と、長手方向の端部に所要長さの胴部１０の押さえ部分を残すと共に、それらの間に閉塞板１２を挿通可能な筒穴状の保持部１３３が形成される高さと幅であり、本体と内部フレーム部１３１とを繋ぐ一対の接続部（符号省略）からなる。
【００７６】
変形防止部材１３は、胴部１０の開口部分から内部空間に入れ、胴部１０の窓部１０１近傍を、内部フレーム部１３１の外面側と押さえ片部１３２の内面側で挟み、各保持部１３３に閉塞板１２を挿通して組み付ける。
【００７７】
変形防止部材１３を組み付けた結果、内部フレーム部１３１は、胴部１０が縮小する方向への変形あるいは撓みを防ぎ、また、押さえ片部１３２が、窓部１０１近傍の胴部１０外面を押さえて、水を含んだ培地等の重量により胴部１０の膨らむ方向への変形あるいは撓みを防ぐ。
【００７８】
加えて、保持部１３３は、閉塞板１２を保持すると共に、閉塞板１２を長さ方向の数カ所（図７では二箇所）で補強する。更に、保持部１３３と閉塞板１２は協働し、水を含んだ培地等の重量によって窓部１０１周辺に加わる応力による胴部１０の膨らむ方向への変形あるいは撓みを防ぎ、また、外部からの押圧力による胴部１０が縮小する方向への変形あるいは撓みを防ぐ。つまり、変形防止部材１３は、胴部１０を内外側から補強し、胴部１０の変形あるいは撓みを抑える。
【００７９】
なお、本変形例では、変形防止部材１３は、内部フレーム部１３１と、押さえ片部１３２と、保持部１３３と、補強部１３４を有する態様であるが、これに限定するものではなく、例えば、閉塞板１２を用いない態様の場合は、変形防止部材の構成は内部フレーム部１３１と押さえ片部１３２のみからなる態様であってもよい。
また、本変形例では、変形防止部材１３の保持部１３３は、筒穴状に構成されているが、これに限定するものではなく、例えば、閉塞板１２と当接して保持するガイド溝状等であってもよい。
【００８０】
図７（ｂ）は、プランター１ａの変形例であるプランター１ｂを示している。
なお、プランター１ｂは、プランター１ｂにおける変形防止部材１３ａの内側の空間に、プランター１ａの変形防止部材１３における補強部１３４が設けられていない構造である点のみが異なっており、他の部分の構造はプランター１ａと共通するため、共通部分には同じ符号を付し、共通部分の説明は省略する。
【００８１】
変形防止部材１３ａは、変形防止部材１３と同様、胴部１０を内外側から補強し、胴部１０の変形あるいは撓みを抑えるものであるが、補強部１３４が設けられていないため、胴部１０内を複数の空間に区切らずに、連続する広い空間とすることができる点において、変形防止部材１３と異なる。
このため、プランター１ｂは、内部に培地のみならず、培地以外のもの（例えば、給水タンク、排水タンク、ポンプ、これらを接続するホースあるいはパイプ、バッテリー等）を収納するケースとして利用することもできる。
【００８２】
〔プランター装置２〕
図８および図９を参照して、プランター装置２について説明する。
プランター装置２は、複数のプランター１と、プランター１が取り付けられる角柱状の取付フレーム２１と、プランター１への給水と排水が可能な給排水装置２２を備える。
【００８３】
なお、プランター装置２において使用するプランターはプランター１と同じ構造であるため、説明を省略し、同じ符号を付している。
【００８４】
複数（本実施の形態では、中間省略部を無視すれば３つだが、この数に限定するものではない。図９参照）のプランター１は、液体出入口１１４に取り付けた管体１４を介して上下方向に接続されており、上方に位置するプランター１に給水された水は、その後、排水として、下方に位置するプランター１へ順次給水される。
【００８５】
また、取付フレーム２１の周方向には、複数（本実施の形態では４つ）のプランター１が、取り付けられている。この結果、プランター装置２は、円柱状となって３６０度いずれの方向からも植栽された植物が見えることになり、美観に優れている。
【００８６】
取付フレーム２１は、プランター１の取付部１１９を介してボルト等を螺着可能なネジ孔２１１が、各側面の高さ方向に複数設けられている（図８参照）。
【００８７】
給排水装置２２は、管体１４を介して上方に位置するプランター１からの排水を受ける装置本体２２１と、装置本体２２１と最も上方に位置するプランター１を接続する送水パイプ２２２を有している。また、給排水装置２２は、縦方向に接続されたプランター群ごとに、各々１つずつ（合計４つ）取り付けられている。
【００８８】
なお、本実施の形態において特に図示していないが、ポンプを作動させる電源は、外部電源との接続手段（コンセントおよび電源コード等）を介して得てもよいし、バッテリー等の内部電源から得てもよい。また、プランター装置２の一部にソーラー発電機を接続して電源を確保する態様であってもよい。
【００８９】
装置本体２２１は、筐体内に、ポンプ（図示省略）と、最も下方に位置するプランター１からの排水を濾過する濾過部材（図示省略）と、濾過した水を貯め置く給排水タンク（図示省略）が収納された構造である。
【００９０】
送水パイプ２２２は、その中間部分を取付フレーム２１内部に通過させている。このように、外部に送水パイプ２２２の取り回しが極力表れないようにして、外観を向上させている。
【００９１】
本実施の形態においては、給水装置と排水装置を兼ねる給排水装置２２を採用しているが、これに限定するものではなく、例えば、給水装置と排水装置が別体であってもよい。また、先述のプランター１ｂのような長尺のものを、給排水装置２２を収納するケースとして利用してもよい。この場合、給排水装置２２についても、他のプランター１とのデザインが共通化され、装置全体としてまとまった美観を生ぜしめる。
【００９２】
また、本実施の形態においては、ポンプによって給水を行う態様であるが、これに限定するものではなく、例えば、最も上方に位置するプランターの上方に、簡易な給水装置（例えばボトルあるいはタンクに流量調整手段を設け、微量の給水が自然落下で断続的に行われるようなもの）を配置して、同プランターへの給水を行うような無動力の態様であってもよい。なお、このような給水構造は、プランターを単体で使用する場合にも採用できる。
【００９３】
本実施の形態において、取付フレーム２１は、角柱状であるが、これに限定するものではなく、例えば、円柱状や楕円柱状等の形態であっても良いし、壁のような幅広のものであってもよい。
【００９４】
本実施の形態において、給排水装置２２は、縦方向に接続されたプランター群ごとに取り付けられているが、これに限定するものではなく、例えば、本実施の形態のものよりも大型の給排水装置を採用し、各プランター群との給排水を行うものであってもよい。
【００９５】
本実施の形態において、排水は、土中栄養素を含んだ排水放出による水質汚染防止の観点等から、一旦タンクに貯め置く構造を採用しているが、これに限定するものではなく、例えば、排水が、下水等に直接流入しないか、あるいは、排水に起因する周辺の汚れが問題とならない環境下であれば、タンクを介さずにプランター装置外へ直接排水する態様を除外するものではない。
【００９６】
本実施の形態において、給排水タンクは、装置外と接続されない独立したタンクであるが、これに限定するものではなく、例えば、装置外の水道と直接接続されるものであってもよく、装置外の水道と直接接続される構造であって、センサー等を用いて、残存水量が一定以下になった場合に外部から新しい水を供給させるような仕組みであってもよい。
【００９７】
（プランター装置２の使用方法）
図８および図９を参照して、プランター装置２の使用方法について説明する。
各プランター１は、その内部に培地（図示および符号省略）を収納しており、窓部１０１から植栽する植物の地上部分（図示省略）を外部へ露出させる。なお、プランター１の使用方法と共通する部分については、説明を省略する。
【００９８】
給排水装置２２の装置本体２２１内の給排水タンク（図示省略）の水を、ポンプ（図示省略）を用いて送水パイプ２２２を通じて、最も上方に位置するプランター１へ送水する。
【００９９】
最も上方に位置するプランター１に送水された水は、プランター１内に収納された培地へ給水され、培地の保水力を超えた水は、排水として、下部側の液体出入口１１４および管体１４を通じて、直下に位置する他のプランター１に排出される。
なお、直下に位置する他のプランター１においては、先に述べた排水は、給水される水として利用される。
同様の作用が繰り返され、各プランター１（の培地）へ給水がなされる。
【０１００】
最も下方に位置するプランター１から排出される水は、下方側の液体出入口１１４および管体１４を通じて、直下に位置する給排水装置２２へ排水される。この排水は、装置本体２２１内の濾過部材（図示省略）を介して浄水となり、浄水は給排水タンク（図示省略）に戻される。そして、給排水タンク内の浄水は再度給水に使用される。
【０１０１】
このように、本実施形態におけるプランター装置２によれば、円柱状に配置された各プランター１を用いて建造物の天井と屋根の間の空間へ立体的に植物を配置でき、この植物によって同空間が装飾される。
【０１０２】
また、プランター装置２によれば、簡易な構造でありながら各プランター１へ満遍なく給水できると共に、排水を浄化して再利用する循環構造であるので、水資源を節約することができ、富栄養化した排水放出による水質汚染が防止でき、また、プランター装置２の周辺を排水で汚すこともないので、屋内や汚れが気になる軒下等にも好適に使用できる。
【０１０３】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【０１０４】
Ｐ    植物の地上部分
Ｆ    フェンス
１、１ａ、１ｂ    プランター
１０    胴部
１０１    窓部
１０２    掛止爪嵌入部
１１ａ、１１ｂ    蓋部材
１１１    蓋部材基部
１１２    フランジ部
１１３    貫通孔
１１４    液体出入口
１１５    第１リブ
１１６    閉塞板嵌入部
１１７    第２リブ
１１８    掛止爪部
１１９    取付部
１２    閉塞板
１３、１３ａ    変形防止部材
１３１    内部フレーム部
１３２    押さえ片部
１３３    保持部
１３４    補強部
１４    管体
２    プランター装置
２１    取付フレーム
２２    給排水装置
２２１    装置本体
２２２    送水パイプ
９    立体寄植用植木鉢
９１    側壁
９２    植込穴
９３    押え片
【図１】
2016096803.tif 000003
【図２】
2016096803.tif 000004
【図３】
2016096803.tif 000005
【図４】
2016096803.tif 000006
【図５】
2016096803.tif 000007
【図６】
2016096803.tif 000008
【図７】
2016096803.tif 000009
【図８】
2016096803.tif 000010
【図９】
2016096803.tif 000011
【図１０】
2016096803.tif 000012